(57)【要約】【課題】水中のような電解液中において、測定対象物の測定範囲を規定することにより測定対象物の単位面積当たりでの電気化学測定を容易且つ安定に行えるようにする。【解決手段】絶縁材により筒形に形成されて海中の測定対象物３に対する測定範囲を規定する検出本体４と、検出本体４内の長手方向中間位置に固定した対極５と、検出本体４内の検出側端６である一端と対極５との間に固定した照合電極７とを有する電気化学測定用プローブ１を設ける。【選択図】図１
2009204593.tif 000002
【特許請求の範囲】
【請求項１】
絶縁材により筒形に形成されて電解液中での測定対象物に対する測定範囲を規定する検出本体と、該検出本体内の長手方向中間位置に固定した対極と、前記検出本体内の検出側端である一端と対極との間に固定した照合電極とを有することを特徴とする電解液中での電気化学測定用プローブ。
【請求項２】
検出本体の検出側端には測定対象物に対する密着を高めるためのシール部材を有する請求項１に記載の電解液中での電気化学測定用プローブ。
【請求項３】
対極における照合電極に対向する側と反対側の面に絶縁材を有する請求項１又は２に記載の電解液中での電気化学測定用プローブ。
【請求項４】
検出側端を測定対象物に押し当てた状態に検出本体を支持する保持手段を有する請求項１〜３のいずれか１つに記載の電解液中での電気化学測定用プローブ。
【請求項５】
請求項１〜４のいずれか１つに記載の電解液中で使用される電気化学測定用プローブと、前記対極及び照合電極に導通すると共に前記測定対象物に導通し、照合電極の設定電位が保持されるよう前記対極と測定対象物との間の電極電位を調節してその時の電流を測定し、又は対極と測定対象物測定対象物との間に流す電流を調節してその時の電極電位を測定するポテンショスタットと、を有することを特徴とする電解液中での電気化学測定装置。
【請求項６】
請求項５に記載の電解液中での電気化学測定装置を用いて測定対象物の腐食速度を測定する電解液中での電気化学測定方法であって、ポテンショスタットに導通した前記電気化学測定プローブの検出側端を水中で測定対象物の表面に押し当てて測定範囲を規定し、ポテンショスタットにより測定対象物が平衡状態にある時の照合電極の自然電位から照合電極の電位が所定の設定電位になるよう前記対極と測定対象物との間の電圧を調節した時に前記対極と測定対象物との間に流れる単位面積当たりの電流を測定し、更に前記設定電位を変えたときの電流を測定する作業を複数回行って各設定電位と電流の関係をグラフ化し、得られた曲線の傾きにより分極抵抗を求め、該分極抵抗が腐食速度と反比例の関係にあることから測定対象物の腐食速度を測定し、この操作を測定対象物の複数箇所で行って測定対象物の腐食速度の平均値を測定することを特徴とする電解液中での電気化学測定方法。
【請求項７】
請求項５に記載の電解液中での電気化学測定装置を用いて測定対象物の表面に施された塗装の防食性能を測定する電解液中での電気化学測定方法であって、ポテンショスタットに導通した前記電気化学測定プローブの検出側端を水中で測定対象物の塗装表面に押し当てて測定範囲を規定し、ポテンショスタットにより照合電極の電位が所定の設定電位になるよう前記対極と測定対象物との間の交流電圧を調節した時に前記対極と測定対象物との間に流れる単位面積当たりの電流からインピーダンスを測定することにより塗装の防食性能を測定し、この操作を測定対象物の複数箇所で行って塗装の防食性能の平均値を測定することを特徴とする電解液中での電気化学測定方法。
【発明の詳細な説明】
【技術分野】
【０００１】
本発明は、海水中のような電解液中において測定対象物の単位面積当たりでの電気化学測定を容易且つ安定に行える電解液中での電気化学測定用プローブ及び電気化学測定装置並びにそれを用いた電気化学測定方法に関する。
【背景技術】
【０００２】
電気化学測定法には、電極電位を時間の関数として外部より与え、その際に流れる電流（或いは電気量）の時間的変化を観察する電位規制法、電流を時間の関数として外部より与え、電極電位の時間的変化を観察する電流規制法、及び、電気量を時間の関数として外部より与え、電極電位の時間的変化を観察する電気量規制法等が知られいる。
【０００３】
そして、上記電気化学測定法を用いて鋼構造物の腐食等を評価する方法が種々提案されている。
【０００４】
特許文献１には、コンクリート中に鋼材を有するコンクリート構造物のコンクリートの表面に、電極を備えた２個以上の鋼材腐食検出端を一定の間隔で接触させ、電位測定装置により、２箇所以上のコンクリート中の鋼材の自然電位の差を測定することにより、コンクリート中の鉄筋の腐食状況を検出する方法が記載されている。
【０００５】
更に、特許文献２には、透水性材料製蓋を有する検出端容器内に電解質溶液を充満させ、その電解質溶液もしくは蓋内に、対極およびこれに対向して配置された照合電極と、電流線制御電極およびこれに対向して配置された照合電極とを設け、前記対極と電流線制御電極と各照合電極とをポテンショスタットに接続して、腐食モニタリング用プローブを構成し、そのプローブにおける蓋をコンクリートの表面に密着させ、かつコンクリート中の鋼材に電気的に導通をとり、前記プローブにより電気化学測定を行ない、電気化学的特性値からコンクリート中鋼材の腐食状況を評価することが記載されている。
【０００６】
上記特許文献１、２はいずれも大気中において鋼材の腐食状況を測定するようにしたものであり、水（海水を含む）のような電解液中での電気化学測定のためのものではなかった。電気化学測定法を用いて鋼構造物の腐食状況等を測定するためには、測定範囲を規定する必要があるが、大気中での測定では大気を通して電極間を電子が移動することが殆どないために、特許文献１、２に示すように電流を流す範囲を規定して測定を行うことは比較的容易であった。
【０００７】
一方、海水などの電解電液中で電気化学測定法により鋼構造物の腐食状況等を測定するためには、海水により電子が移動するために、測定する範囲を規定して電気化学測定法による測定を行うことは困難であった。
【０００８】
水中で電気化学測定を行うものとしては特許文献３がある。特許文献３には、炉水および冷却水と接触する原子炉、蒸気配管、タービン、復水器および水配管の腐食損傷を推測するために、電気化学センサからリード線を介して測定処理装置に接続される腐食環境検知装置において、コンピュータに、電気化学センサで測定した電位標準偏差および電流標準偏差から、腐食抵抗を算出する機能と、予め別の校正用の電気化学センサで測定した腐食抵抗と腐食速度との関係を表す校正曲線を記憶させる機能と、腐食抵抗を校正曲線に参照することで腐食速度を算出し、表示するモニタを備えている。
【特許文献１】特開平１０−２２１２９２号公報
【特許文献２】特開平０５−２８８７０８号公報
【特許文献３】特開２００４−０２８８１８号公報
【発明の開示】
【発明が解決しようとする課題】
【０００９】
特許文献３に示す装置では、水を収容する容器等の腐食速度を電気化学測定により水中で精度良く推定できるとしている。しかし、特許文献３は電気化学センサと校正用の電気化学センサを、夫々容器内の水中に吊り下げて設けることにより容器全体との間での電気化学測定を行うようにしているため、水が静止している必要がある。即ち、測定側の水が流動している場合には校正側も同じ条件で水を流動させる必要があり、このために測定装置の構成、操作が非常に複雑となり実用上困難となる。
【００１０】
又、特許文献３では容器等の測定範囲を規定することなしに腐食速度を測定するようにしたものであるため、例えば鋼矢板、鋼管杭などの港湾鋼構造物、橋梁ケーソン、浮体鋼構造物、船舶などの海洋鋼構造物全般のような大型の鋼構造物に対して適用しても、測定範囲が特定されないために腐食速度を正確に測定することができない。又、港湾構造物等が設置される場所の水は通常流動していると共に性状が変化することがあり、更に、鋼構造物等が常に水に浸漬している部分と潮の干満によって浸漬と露出が繰り返される部分とでは腐食速度が異なることが考えられるが、このように条件が変動する場所において前記特許文献３を適用しても腐食速度を正確に推定することはできないという問題がある。
【００１１】
本発明は、上記実情に鑑みてなしたもので、水中のような電解液中において、測定対象物の測定範囲を規定することにより、測定対象物の単位面積当たりでの電気化学測定を容易且つ安定に行えるようにした電解液中での電気化学測定用プローブ及び電気化学測定装置並びにそれを用いた電気化学測定方法を提供しようとするものである。
【課題を解決するための手段】
【００１２】
本発明は、絶縁材により筒形に形成されて電解液中での測定対象物に対する測定範囲を規定する検出本体と、該検出本体内の長手方向中間位置に固定した対極と、前記検出本体内の検出側端である一端と対極との間に固定した照合電極とを有することを特徴とする電解液中での電気化学測定用プローブ、に係るものである。
【００１３】
上記電解液中での電気化学測定用プローブにおいて、検出本体の検出側端には測定対象物に対する密着を高めるためのシール部材を有することが好ましい。
【００１４】
又、上記電解液中での電気化学測定用プローブにおいて、対極における照合電極に対向する側と反対側の面に絶縁材を有することは好ましい。
【００１５】
又、上記電解液中での電気化学測定用プローブにおいて、検出側端を測定対象物に押し当てた状態に検出本体を支持する保持手段を有することは好ましい。
【００１６】
本発明は、上記電解液中で使用される電気化学測定用プローブと、前記対極及び照合電極に導通すると共に前記測定対象物に導通し、照合電極の設定電位が保持されるよう前記対極と測定対象物との間の電極電位を調節してその時の電流を測定し、又は対極と測定対象物測定対象物との間に流す電流を調節してその時の電極電位を測定するポテンショスタットと、を有することを特徴とする電解液中での電気化学測定装置、に係るものである。
【００１７】
本発明は、前記電解液中での電気化学測定装置を用いて測定対象物の腐食速度を測定する電解液中での電気化学測定方法であって、ポテンショスタットに導通した前記電気化学測定プローブの検出側端を水中で測定対象物の表面に押し当てて測定範囲を規定し、ポテンショスタットにより測定対象物が平衡状態にある時の照合電極の自然電位から照合電極の電位が所定の設定電位になるよう前記対極と測定対象物との間の電圧を調節した時に前記対極と測定対象物との間に流れる単位面積当たりの電流を測定し、更に前記設定電位を変えたときの電流を測定する作業を複数回行って各設定電位と電流の関係をグラフ化し、得られた曲線の傾きにより分極抵抗を求め、該分極抵抗が腐食速度と反比例の関係にあることから測定対象物の腐食速度を測定し、この操作を測定対象物の複数箇所で行って測定対象物の腐食速度の平均値を測定することを特徴とする電解液中での電気化学測定方法、に係るものである。
【００１８】
本発明は、前記電解液中での電気化学測定装置を用いて測定対象物の表面に施された塗装の防食性能を測定する電解液中での電気化学測定方法であって、ポテンショスタットに導通した前記電気化学測定プローブの検出側端を水中で測定対象物の塗装表面に押し当てて測定範囲を規定し、ポテンショスタットにより照合電極の電位が所定の設定電位になるよう前記対極と測定対象物との間の交流電圧を調節した時に前記対極と測定対象物との間に流れる単位面積当たりの電流からインピーダンスを測定することにより塗装の防食性能を測定し、この操作を測定対象物の複数箇所で行って塗装の防食性能の平均値を測定することを特徴とする電解液中での電気化学測定方法、に係るものである。
【発明の効果】
【００１９】
本発明の電解液中での電気化学測定用プローブ、及び該電気化学測定用プローブを備えた電気化学測定装置によれば、絶縁材により筒形に形成されて電解液中での測定対象物に対する測定範囲を規定する検出本体と、該検出本体内の長手方向中間位置に固定した対極と、前記検出本体内の検出側端である一端と対極との間に固定した照合電極とを有する電気化学測定用プローブの検出側端を電解液中で測定対象物の表面に押付けることにより、電解液中において電気化学測定を行う測定対象物の表面の面積とその面積に対応する電解液の範囲を容易に規定することができ、よって電解液中での単位面積当たりの電気化学測定を容易且つ安定して行える効果がある。
【００２０】
更に、上記電気化学測定装置を用いることにより、電解液中での測定対象物の腐食速度、或いは測定対象物の表面に施された塗装の防食性能等の測定を、容易且つ安定して行える効果がある。
【発明を実施するための最良の形態】
【００２１】
以下、本発明の実施の形態を添付図面を参照して説明する。
【００２２】
本発明は、水（海水）等の電解液中に設置される例えば鋼矢板、鋼管杭などの港湾鋼構造物、橋梁ケーソン、浮体鋼構造物、或いは船舶などの海洋鋼構造物全般の大型の鋼構造物からなる測定対象物を電気化学測定するためのものであり、図１は海中で使用される電気化学測定用プローブ１、及び該電気化学測定用プローブ１を有する電気化学測定装置２の一例を示す切断側面図、図２は図１の電気化学測定用プローブ１をＩＩ−ＩＩ方向から見た切断正面図である。
【００２３】
図１、図２に示す電気化学測定用プローブ１は、塩化ビニル等の合成樹脂或いはその他の絶縁材により筒形に形成して海中の鋼構造物等の測定対象物３の測定範囲を規定するための検出本体４を備えている。この検出本体４は図２では円筒の場合を例示しているが、内部が空洞であればよく、断面形状が四角或いはその他の形状を有していてもよい。そして、上記検出本体４は例えば内側径が１００ｍｍに対して長さが２００ｍｍ程度の大きさに形成することができる。
【００２４】
前記検出本体４内の長手方向中間位置には対極５を固定している。この対極５は検出本体４内を直径方向に横切るように固定することができ、更に対極５には例えば亜鉛Ｚｎ等を用いることができるが他の公知の材料からなるものを用いてもよい。前記検出本体４内の検出側端６である一端と前記対極５との間には照合電極７を固定している。この照合電極７には銀−酸化銀電極等を用いることができるが他の公知の材料からなるものを用いてもよい。前記照合電極７は前記検出側端６から所要の距離だけ内側に入り込んだ位置に設けられている。又、前記照合電極７の先端には通常、電子を集めるガラス電極８が設けられているので、このガラス電極８が検出本体４の断面の略中心位置になるように設けることが好ましい。
【００２５】
上記検出本体４の検出側端６には、測定対象物３に対する密着を高めるためのゴム等のシール部材９を設けている。
【００２６】
又、前記対極５における照合電極７に対向する側と反対側の面には絶縁材１０を設けている。
【００２７】
更に、前記電気化学測定用プローブ１には、図３、図４に示すように検出側端６を測定対象物３に押し付けた状態に検出本体４を支持しておくための保持手段１１を備えている。
【００２８】
図３の保持手段１１は、検出本体４の検出側端６に近い外周部に、十字方向に張り出したアーム１２を設け、各アーム１２に対して前記シール部材９からは突出しないように僅かに後退させた位置に磁石１３を固定している。これにより検出本体４は、磁石１３の吸着力によって測定対象物３の表面に固定されるようになっている。前記アーム１２及び磁石１３は周方向の３個所以上に設けることが好ましい。
【００２９】
図４の保持手段１１は、検出本体４の検出側端６に近い外周部に、前記シール部材９から突出しないように僅かに後退した位置に環状の吸引開口１４を備えた吸引通路１５を形成しており、該吸引通路１５に連通する真空吸引ホース１６を設けている。これにより検出本体４は、吸引開口１４による吸引によって測定対象物３の表面に吸着固定されるようになっている。
【００３０】
電気化学測定装置２は、図１、図５に示すように、前記電気化学測定用プローブ１の対極５と照合電極７に導通し、更に前記測定対象物３に導通するようにしたポテンショスタット１７と、電源１８と、演算装置１９とからなる測定器２０を備えており、該測定器２０は鋼構造物からなる測定対象物３上のドルフィン２１の上部に設置するようにしている。
【００３１】
前記ポテンショスタット１７には、照合電極７の設定電位が保持されるよう前記対極５と測定対象物３との間の電圧を調節してその時の電流を測定し、又は対極５と測定対象物３との間に流す電流を調節してその時の電圧を測定するようにした従来と同様の電気化学測定機能を備えたものを用いることができる。
【００３２】
又、電源１８としては、直流電源又は交流電源、或いは直流と交流を切り替えて使用できるようにした電源を用いることができる。更に、演算装置１９としては、パーソナルコンピュータ（ＰＣ）等を用いることができる。
【００３３】
次に、上記図示例の作動を説明する。
【００３４】
前記電気化学測定用プローブ１、及び該電気化学測定用プローブ１を備えた電気化学測定装置２を用いて鋼構造物からなる測定対象物３の腐食速度を測定する方法の一例を説明する。
【００３５】
測定を行うには、ダイバーが電気化学測定用プローブ１を把持して海中に潜水し、電気化学測定用プローブ１の検出側端６を測定対象物３に押し付ける。すると、検出本体４に備えた保持手段１１によって電気化学測定用プローブ１は測定対象物３の表面に吸着固定される。この時、ダイバーが電気化学測定用プローブ１を把持して測定対象物３の表面に押付けた状態に保持することもできるが、前記した保持手段１１を備えると、電気化学測定を行う数分〜十数分の間、電気化学測定用プローブ１の検出側端６を測定対象物３に確実に密着させた状態に容易に保持することができる。この時、検出側端６にシール部材９を備えているので測定対象物３に対する電気化学測定用プローブ１の密着性を高めることができる。
【００３６】
更に、検出本体４内は軸方向に開放されているため、検出本体４によって規定した測定対象物３の測定面は海中と同一の条件に保持される。この時、検出本体４の長手方向中間部に配置した対極５は、電位が低い測定対象物３との間で電子の移動が行われるように作用し、且つ、対極５における照合電極７と対向する側とは反対側の面に絶縁材１０を設けているので、対極５の電子が検出本体４の検出側端６とは反対側の端部から外部を回って測定対象物３との間で移動するような回り込みを防止することができる。
【００３７】
従って、上記電気化学測定用プローブ１によれば、絶縁材からなる検出本体４によって、測定する測定対象物３の表面の面積とその面積に対応する検出本体４内の電解液の範囲を容易且つ確実に規定することができる。
【００３８】
電気化学測定用プローブ１が設置されると、測定対象物３の電位が平衡状態にある時の自然電位（自然の状態での腐食電位）がポテンショスタット１７によって計測されるので、この自然電位から照合電極７の電位が所定の設定電位ΔＥ（±１０ｍＶ程度の極微少量）になるよう前記対極５と測定対象物３との間の電圧を調節し、この時の対極５と測定対象物３との間に流れる単位面積当たりの微小の電流Δｉをポテンショスタット１７により測定する。更に、前記設定電位ΔＥを変更したときの電流Δｉを測定する作業を複数回行うことによりグラフ化した電流−電位曲線を得る。そして、この曲線は自然電位（腐食電位）の近傍では直線となり、次式１が成立する。
ΔＥ＝Ｒｐ×Δｉ・・・（１）
上記曲線の勾配（ΔＥ／Δｉ）を分極抵抗Ｒｐ（電荷移動抵抗、又は腐食反応抵抗）という。
【００３９】
又、腐食速度Ｉcorr.と分極抵抗Ｒｐとの間には一般に次式２
Ｉcorr.（Ａ／ｍ２）＝Ｋ（Ｖ）／Ｒｐ（Ω・ｍ２）・・・（２）
が成立し、分極抵抗Ｒｐが腐食速度Ｉcorr.と反比例の関係にあることはSternとGearyによって確立されている（M. Stern，A. L. Geary：J. Electrochem. Soc.，Vol. 104，No.1，56-63 (1957)）。
【００４０】
式２中、Ｋは材料・環境の組み合わせで決まる比例定数であり、通常は腐食減量測定から求めた腐食速度Ｉcorr.と分極抵抗Ｒｐの測定値から予め決定しておく必要があるが、一般的には、Ｋ＝０．０２〜０．０３Ｖを用いることができる（（社） 日本コンクリート工学協会：コンクリート診断技術'02[基礎編], 164-165）。
【００４１】
よって、上記式１、式２より腐食速度Ｉcorr.が推定できる。
【００４２】
更に、図５に示すように、前記電気化学測定装置２を用いて、測定対象物３の異なる複数箇所で分極抵抗法により腐食抵抗Ｒｐ及び腐食速度Ｉcorr.を求める測定操作を行う。このとき、少なくとも、測定対象物３が常に海水中に没している箇所と、潮の干満によって海水への浸漬と露出が繰り返される部分の計測を行い、得られた腐食速度の平均値を求めることにより、測定対象物３の正確な腐食速度を算出することができる。
【００４３】
又、前記したように海中の鋼構造物からなる測定対象物３の表面に電着によって電着膜が形成されている場合にも、電着膜は導電性を有するため、電着膜の上から前記電気化学測定装置２を用いて上記と同様の方法により測定対象物３の腐食速度を測定することができる。
【００４４】
又、測定対象物３の腐食速度は次のような方法によっても測定できる。
【００４５】
水中では測定対象物３の電位が−７７０ｍＶ以下では腐食が進行しないことが従来から知られており、更に、測定対象物３と対極５との間に流れる電流が１００Ａ／ｍ２に対して腐食は略０．１ｍｍ／年程度であることが知られている。
【００４６】
従って、前記照合電極７の電位が−７７０ｍＶになるように対極５と測定対象物３との間の電圧を調節し、この時の対極５と測定対象物３との間に流れる単位面積当たりの電流を測定することにより、測定対象物３の腐食速度、即ち測定対象物３の減肉する速度を推定することができる。
【００４７】
図６は海水等の電解液中において前記電気化学測定装置２を用いて測定対象物３の表面に施された塗装２２の防食性能を測定する方法を示している。塗装２２の防食性能を測定するには、前記と同様にダイバーが電気化学測定用プローブ１を把持して海中に潜水し、電気化学測定用プローブ１の検出側端６を測定対象物３の塗装２２の表面に押し付けて保持手段１１により吸着固定させる。これにより塗装２２における測定範囲が規定される。
【００４８】
電気化学測定用プローブ１が設置されると、測定対象物３の電位が平衡状態にある時の自然電位（自然の状態での腐食電位）がポテンショスタット１７によって計測されるので、ポテンショスタット１７により照合電極７の電位が所定の設定電位になるよう前記対極５と測定対象物３との間の交流電圧を調節し、この時に前記対極５と測定対象物３との間に流れる単位面積当たりの電流からインピーダンスを測定する。交流インピーダンスが小さいと電子の移動が大きいことにより腐食が生じ易く、又、交流インピーダンスが大きいと電子の移動が小さいことにより腐食は生じ難いことが判明するので、これによって塗装２２の防食性能を測定することができる。この防食性能を測定する操作を塗装２２の複数箇所で行うことにより塗装２２の防食性能の平均値を測定することができる。
【００４９】
尚、上記電気化学測定用プローブ１及び該電気化学測定用プローブ１を備えた電気化学測定装置２を用いて行う電気化学測定は、上記で説明した方法にのみ限定されるものではなく、他の種々の電気化学測定法にも適用できることは勿論である。
【図面の簡単な説明】
【００５０】
【図１】本発明を実施する電気化学測定用プローブ及び該電気化学測定用プローブを備えた電気化学測定装置の一例を示す切断側面図である。
【図２】図１における電気化学測定用プローブのＩＩ−ＩＩ方向切断正面図である。
【図３】電気化学測定用プローブに備えた保持手段の一例を示す側面図である。
【図４】電気化学測定用プローブに備えた保持手段の他の例を示す側面図である。
【図５】本発明により測定対象物の腐食速度を測定する方法の一例を示す説明用側面図である。
【図６】本発明により測定対象物の表面に施された塗装の防食性能を測定する方法の一例を示す切断側面図である。
【符号の説明】
【００５１】
１  電気化学測定用プローブ
２  電気化学測定装置
３  測定対象物
４  検出本体
５  対極
６  検出側端
７  照合電極
９  シール部材
１０  絶縁材
１１  保持手段
１７  ポテンショスタット
２２  塗装
【図１】
2009204593.tif 000003
【図２】
2009204593.tif 000004
【図３】
2009204593.tif 000005
【図４】
2009204593.tif 000006
【図５】
2009204593.tif 000007
【図６】
2009204593.tif 000008